(57)【要約】      （修正有）【課題】インクジェットヘッドとヘッド支持部の間に形成される係合部に残ってしまう残余インクが落下することによる被印刷媒体の汚染をし難いインクジェットプリンタ及びインクジェット印刷方法を提供する。【解決手段】ヘッド５におけるノズル面及び対向部からなる対向面に対して当接された状態で相対的に移動されることで、先端側が該対向面に摺動して払拭するワイパー１３と、対向面とワイパーの相対的な位置関係の変更を制御する制御部２９とを備え、制御部は、ワイパーがノズル面を払拭した後に、ヘッド支持部とインクジェットヘッド１５との間に形成される係合部と、ノズル面の中で複数のノズル孔が形成されるノズル領域との間の領域であるワイパー待機領域で、待機するように制御を行う。【選択図】図１
2020059253.tif 000002
【特許請求の範囲】
【請求項１】
インク滴を複数のノズル孔から吐出して印刷を行うインクジェットヘッドを備えるインクジェットプリンタであって、
前記インクジェットヘッドにおいて被印刷媒体と対向する側にあって、前記複数のノズル孔が形成されるノズル面と、
前記インクジェットヘッドを支持するヘッド支持部と、
を備え、
前記ヘッド支持部は、前記ノズル面を前記被印刷媒体に対向するように露出させる開口部が形成される対向部を有し、
前記ノズル面及び前記対向部からなる対向面に対して当接された状態で相対的に移動されることで、先端側が該対向面に摺動して払拭するワイパーと、
前記対向面と前記ワイパーの相対的な位置関係の変更を制御する制御部と、
を備え、
前記制御部は、前記対向面の前記ノズル面から前記対向部の方向に前記ワイパーを払拭させるときに、前記ヘッド支持部と前記インクジェットヘッドとの間に形成される係合部の手前で前記ワイパーの払拭速度を低下させることを特徴とするインクジェットプリンタ。
【請求項２】
前記制御部は、前記ワイパーが前記ノズル面を払拭した後に、前記係合部と、前記ノズル面の中で前記複数のノズル孔が形成されるノズル領域との間の領域であるワイパー待機領域で、前記ワイパーが所定の待機時間のあいだ待機するように制御を行うことを特徴とする請求項１に記載のインクジェットプリンタ。
【請求項３】
前記待機時間が１秒以上であることを特徴とする前記請求項２に記載のインクジェットプリンタ。
【請求項４】
前記ワイパーの先端側は前記対向面に対して鉛直方向の下方から接触された状態で当接され、前記待機時間は、前記ワイパーの前記先端側に付着したインクが、鉛直方向の下方に移動するのを待つ時間であり、前記制御部は、前記待機時間後に前記ワイパーが前記係合部を通過して前記対向部を払拭するように前記ワイパーと前記対向面の相対的な位置関係の制御を行うことを特徴とする請求項２又は請求項３に記載のインクジェットプリンタ。
【請求項５】
前記ワイパー待機領域では、平行移動の位置を維持した状態で、前記ワイパーを前記待機時間のあいだ待機させることを特徴とする請求項２から請求項４のうちのいずれか一項に記載のインクジェットプリンタ。
【請求項６】
前記ノズル面と前記対向部とは略同一平面にあって、前記ワイパーは、前記対向面沿って平行移動させることにより前記ノズル面を払拭させることを特徴とする請求項１から請求項５のうちのいずれか一項に記載のインクジェットプリンタ。
【請求項７】
前記ワイパーは、前記ノズル面と接触する舌片状のワイパーブレード部を有することを特徴とする請求項１から請求項３のうちのいずれか一項に記載のインクジェットプリンタ。
【請求項８】
前記ワイパーブレード部の先端は、該先端で払拭されるインク量を考慮して、前記ワイパー待機領域待機位置の範囲に入る厚みに形成されていることを特徴とする請求項７に記載のインクジェットプリンタ。
【請求項９】
前記ワイパーを移動させるワイパー機構をさらに備え、
同種類のインクを吐出するノズル孔が並ぶ方向に、前記ワイパーを前記ノズル面に当接させた状態で移動させることで、前記ワイパーが前記ノズル面を払拭することを特徴とする請求項１から請求項８のうちのいずれか一項に記載のインクジェットプリンタ。
【請求項１０】
インク滴を複数のノズル孔から吐出して印刷を行うインクジェットヘッドと、前記インクジェットヘッドを支持するヘッド支持部とを備え、前記ヘッド支持部は、前記複数のノズル孔が形成されるノズル面を前記被印刷媒体に対向するように露出させる開口部が形成される対向部を有するインクジェットプリンタにおいて、
前記インクジェットヘッドにおいて被印刷媒体と対向する側にあるワイパーで前記ノズル面を払拭する前記ノズル面をワイパーで払拭するノズル面払拭ステップと、
前記ノズル面の中で前記複数のノズル孔が形成されるノズル領域と、前記対向部と前記インクジェットヘッドとの間に形成される係合部と、の間の領域であるワイパー待機領域で、前記ワイパーが所定の待機時間のあいだ待機する待機ステップと、
を備えるインクジェット印刷方法。
【発明の詳細な説明】
【技術分野】
【０００１】
本発明は複数のノズルを備えたインクジェットプリンタ及びインクジェットプリンタ印刷方法、特にインクジェットプリンタのヘッド部分の清掃に関する。
【背景技術】
【０００２】
インクジェットプリンタでは、印刷を続けると、インクを吐出するノズル孔が形成されているノズル面が残余したインク等で汚れてくる。この汚れを放置したまま印刷を続けると、残余したインクが溜まって形成されたインク滴が滴下して被印刷媒体を汚染したり、ノズルの目詰まりを生じさせたりすることで、印刷品質を低下させてしまう。そのため定期的にノズル面を清掃することが必要である。具体的には、ゴム等の柔軟な材料で形成されたワイパーをノズル面に直接接触させて移動させることで、汚れを拭い払う技術が知られている（例えば、特許文献１参照）。
【先行技術文献】
【特許文献】
【０００３】
【特許文献１】特開２０１４−１１７９４５号公報
【発明の概要】
【発明が解決しようとする課題】
【０００４】
しかしノズル面自体がワイパーによって清浄に保たれているにもかかわらず、被印刷媒体に汚れが生じてしまうケースがあり、その原因がわからなかった。本願発明者が長年、鋭意研究を重ねた結果、その原因はインクジェットヘッドとヘッド支持部の境目に形成された係合部に溜まってしまう主に残余インクからなる汚染物であることがわかった。
【０００５】
図７（Ａ）は、インクジェットヘッド１５と、ヘッド支持部３において被印刷物載置台１７に対向する部分である対向部１０を、対向する被印刷物載置台１７方向から見た説明図である。インクジェットヘッド１５はノズル孔２０が形成され、ノズル孔２０からインクが吐出される。図７（Ａ）上のＸ方向、インクジェットヘッド１５のノズル面２７中に、インクを吐出する複数のノズル孔２０が形成される。ノズル面２７を払拭するワイパーのワイパーブレード部３０が後述するようにノズル面２７に接触される。インクジェットヘッド１５はヘッド支持部３によって鉛直方向上向きに支持され、インクジェットヘッド部１５とヘッド支持部３との間には係合部２５が形成される。ワイパーブレード部３０は、ノズル面２７に付着した汚れを拭い払って、対向部１０上の移動後のワイパーブレード部３５の位置まで移動される。
【０００６】
図７（Ｂ）は、ノズル面の清掃前における、インクジェットヘッド１５とヘッド支持部３、及び、ワイパーブレード部３０のＡ−Ａ線矢視断面図（図７（Ａ）参照）である。ノズル面２７に付着した残余インク４０を、ノズル面２７に接触されるワイパーブレード部３０が矢印方向に移動しながら拭い払っていく。
【０００７】
図７（Ｃ）は、ノズル面２７を払拭後、係合部２５まで連続してワイパーブレード部３０が移動した場合のＡ−Ａ線矢視断面図（図７（Ａ）参照）である。ワイパーブレード部３０が係合部２５に、残余インク４０を載せたまま移動していくと、係合部２５に残余インク４０が溜まっていく。
【０００８】
図７（Ｄ）は、係合部２５に溜まった残余インク４０等の汚れが被印刷媒体４５に落下して汚染する様子を説明する説明図である。ノズル面２７が清浄であっても、被印刷媒体４５が残余インクで汚染される原因は、係合部２５に溜まった残余インク４０が落下するためであることが発明者の研究により明らかになった。
【０００９】
本発明は、斯かる実情に鑑み、インクジェットヘッドとヘッド支持部の間に形成される係合部に残ってしまう残余インクが落下することによる被印刷媒体の汚染をし難いインクジェットプリンタ及びインクジェット印刷方法を提供しようとするものである。
【課題を解決するための手段】
【００１０】
（１）本発明は、インク滴を複数のノズル孔から吐出して印刷を行うインクジェットヘッドを備えるインクジェットプリンタであって、前記インクジェットヘッドにおいて被印刷媒体と対向する側にあって、前記複数のノズル孔が形成されるノズル面と、前記インクジェットヘッドを支持するヘッド支持部とを備え、前記ヘッド支持部は、前記ノズル面を前記被印刷媒体に対向するように露出させる開口部が形成される対向部を有し、前記ノズル面及び前記対向部からなる対向面に対して当接された状態で相対的に移動されることで、先端側が該対向面に摺動して払拭するワイパーと、前記対向面と前記ワイパーの相対的な位置関係の変更を制御する制御部とを備え、前記制御部は、前記ワイパーが前記ノズル面を払拭した後に、前記ヘッド支持部と前記インクジェットヘッドとの間に形成される係合部と、前記ノズル面の中で前記複数のノズル孔が形成されるノズル領域との間の領域であるワイパー待機領域で、前記ワイパーが所定の待機時間のあいだ待機するように制御を行うことを特徴とするインクジェットプリンタを提供する。
【００１１】
上記（１）に記載の発明によれば、制御部がワイパーを所定の待機時間のあいだ、ノズル領域と係合部の間の領域であるワイパー待機領域で待機する制御を行うので、待機時間のあいだに、ワイパーに溜まったインクが自然に流れて排除される。したがってワイパーに残余インクが溜まりにくいため、待機時間後にワイパーが対向部側に移動しても、ワイパーから係合部に残余インクが吸い込まれて溜まることが生じ難いという優れた効果を奏する。
【００１２】
（２）本発明は、前記ワイパーの先端側が前記対向面に対して鉛直方向の下方から接触された状態で当接され、前記待機時間は、前記ワイパーの前記先端側に付着したインクが、鉛直方向の下方に移動するのを待つ時間であり、前記制御部は、前記待機時間後に前記ワイパーが前記係合部を通過して前記対向部を払拭するように前記ワイパーと前記対向面の相対的な位置関係の制御を行うことを特徴とする上記（１）に記載のインクジェットプリンタを提供する。
【００１３】
上記（２）に記載の発明によれば、ワイパーが対向面に対して鉛直方向の下方から接触された状態で当接され、待機時間は、ワイパーの先端側に付着したインクが、鉛直方向の下方に移動するのを待つ時間なので、ワイパー先端に付着した残余インクが重力に従って流れ落ちて排除される。したがってワイパーが待機時間の後、係合部を通過しても、ワイパーの先端部には残余インクが残り難いので、係合部に残余インクが溜まりにくく、結果として、残余インクによる被印刷媒体の汚染が生じ難くなるという優れた効果を奏する。
【００１４】
（３）本発明は、前記待機時間が１秒以上であることを特徴とする上記（１）又は上記（２）に記載のインクジェットプリンタを提供する。
【００１５】
上記（３）に記載の発明によれば、ワイパーがワイパー待機領域で待機する待機時間が１秒以上あるので、残余インクがワイパーの少なくとも先端部分からは重力等によって除去され易い。したがって、待機時間の後、ワイパーが係合部を通過して対向部へと移動する際に、残余インクが係合部に溜まりにくく、結果として、残余インクによる被印刷媒体の汚染が生じ難くなるという優れた効果を奏する。
【００１６】
（４）本発明は、前記ワイパーは、前記ノズル面と接触する舌片状のワイパーブレード部を有することを特徴とする上記（１）乃至上記（３）のうちのいずれかに記載のインクジェットプリンタを提供する。
【００１７】
上記（４）に記載の発明によれば、ワイパーがノズル面と接触する舌片状のワイパーブレード部を有するので、ノズル面を適切に且つ確実に払拭でき、残余インクをノズル領域から除去できる。したがって、ノズル領域に残った残余インクにより形成されるインク滴が被印刷媒体に滴下して汚染したり、ノズルの目詰まりを生じさせたりすることで、印刷品質を低下させるという事故が生じ難くなるという優れた効果を奏する。
【００１８】
（５）本発明は、前記ワイパーを移動させるワイパー機構をさらに備え、同種類のインクを吐出するノズル孔が並ぶ方向に、前記ワイパーを前記ノズル面に当接させた状態で移動させることで、前記ワイパーが前記ノズル面を払拭することを特徴とする上記（１）乃至上記（４）のうちのいずれかに記載のインクジェットプリンタを提供する。
【００１９】
上記（５）に記載の発明によれば、ワイパーがノズル面に対して移動させるワイパー機構を有するので、ヘッドを移動させる方向が一方向だけで済みヘッドの駆動機構が単純化できコストを抑え、メンテナンス性も向上するという優れた効果を奏する、またワイパーが払拭する方向が、同種類のインクを吐出するノズル孔が並ぶ方向なので、払拭で思いがけず残余インクによる混色が生じる可能性も低下させることができるという優れた効果を奏する。
【００２０】
（６）本発明は、インク滴を複数のノズル孔から吐出して印刷を行うインクジェットヘッドと、前記インクジェットヘッドを支持するヘッド支持部とを備え、前記ヘッド支持部は、前記複数のノズル孔が形成されるノズル面を前記被印刷媒体に対向するように露出させる開口部が形成される対向部を有するインクジェットプリンタにおいて、前記インクジェットヘッドにおいて被印刷媒体と対向する側にあるワイパーで前記ノズル面を払拭するノズル面払拭ステップと、前記ノズル面の中で前記複数のノズル孔が形成されるノズル領域と、前記対向部と前記インクジェットヘッドとの間に形成される係合部と、の間の領域であるワイパー待機領域で、前記ワイパーが所定の待機時間のあいだ待機する待機ステップとを備えるインクジェット印刷方法を提供する。
【００２１】
上記（６）に記載の発明によれば、ノズル面を払拭する払拭ステップの後、ワイパーを所定の待機時間のあいだ、ノズル領域と係合部の間の領域であるワイパー待機領域で待機させる待機ステップが存在するので、待機時間のあいだに、ワイパー上に溜まったインクが自然に流れて排除され易い。したがってワイパーに残余インクが溜まりにくいため、待機時間後にワイパーが対向部側に移動しても、ワイパーから係合部に残余インクが吸い込まれて溜まることが生じ難いという優れた効果を奏する。
【発明の効果】
【００２２】
本発明の請求項１〜６記載のインクジェットプリンタ及びインクジェットプリンタ印刷方法によれば、ワイパーに残余インクが溜まりにくいため、待機時間後にワイパーが対向部側に移動しても、ワイパーから係合部に残余インクが溜まることが生じ難く、結果として被印刷媒体を残余インクで汚染しにくいという優れた効果を奏し得る。
【図面の簡単な説明】
【００２３】
【図１】（Ａ）本発明の第一実施形態に係るインクジェットプリンタ全体の説明図である。（Ｂ）インクジェットプリンタの内部機構を説明する説明図である。
【図２】（Ａ）ヘッドに内蔵されるインクジェットヘッドと、インクジェットヘッドを支持するヘッド支持部の斜視図である。（Ｂ）インクジェットヘッドと、インクジェットヘッドを支持するヘッド支持部を、インクジェットヘッドと対向する被印刷媒体方向から仰ぎ見た様子を示す説明図である。（Ｃ）インクジェットヘッドとヘッド支持部をＹ方向から見た断面図である。
【図３】（Ａ）ノズル面を払拭するワイパーと、ワイパーを移動させるワイパー機構の説明図である。（Ｂ）ワイパー機構と、インクジェットヘッド及びヘッド支持部の配置関係を説明する説明図である。
【図４】対向面上において、ワイパーが待機するワイパー待機領域と、ノズル領域と、係合部の位置関係を示す説明図である。
【図５】（Ａ）ノズル面払拭前における、インクジェットヘッドとヘッド支持部、及び、ワイパーブレード部のＢ−Ｂ線矢視断面図（図４参照）である。（Ｂ）ノズル面払拭後、ワイパーブレード部が待機時間中にワイパー待機領域で待機している態様を示すＢ−Ｂ線矢視断面図である。（Ｃ）待機時間中にワイパーブレード部の先端から残余インク等の汚れがワイパーブレード部に沿って移動していく様子を説明する説明図である。（Ｄ）ワイパーブレード部が係合部を越えて移動した場合にも、係合部に汚れが溜まらないことを説明する説明図である。
【図６】本発明の第二実施形態に係るインクジェットプリンタ印刷方法のフローチャートである。
【図７】（Ａ）インクジェットヘッドとヘッド支持部を、対向する被印刷物載置台方向から見た説明図である。（Ｂ）ノズル面払拭前における、インクジェットヘッドとヘッド支持部、及び、ワイパーのＡ−Ａ線矢視断面図である。（Ｃ）ノズル面払拭後、係合部まで連続してワイパーが移動した場合のＡ−Ａ線矢視断面図である。（Ｄ）係合部に溜まった残余インク等の汚れが被印刷媒体に落下して汚染する様子を説明する説明図である。
【発明を実施するための形態】
【００２４】
以下、本発明の実施の形態を添付図面を参照して説明する。
【００２５】
図１〜図６は発明を実施する形態の一例であって、図中、同一の符号を付した部分は同一物を表わす。なお、各図において一部の構成を適宜省略して、図面を簡略化する。そして、部材の大きさ、形状、厚みなどを適宜誇張して表現する。
【００２６】
図１（Ａ）は、本発明の第一実施形態に係るインクジェットプリンタ１全体の説明図である。インクジェットプリンタ１は、インク滴を複数のノズル孔１２０（後述する図４参照）から吐出して印刷を行うインクジェットヘッド１５（後述する図１（Ｂ）参照）を有するヘッド５と、ヘッド５をガイドレール７に沿って主走査方向（図中のＹ方向）に駆動する主走査方向駆動装置（図示省略）と、インクジェットヘッド１５のノズル面に付着した残余インクを払拭するワイパー１３を有するワイパー機構５０（後述する図３（Ａ）参照）を有するメンテナンスステーション２１（後述する図１（Ｂ）参照）を備える。被印刷媒体９はヘッド５と対向するように載置され、ヘッド５から吐出されるインクによって適切に印刷をされて送り出される。
【００２７】
図１（Ｂ）は、インクジェットプリンタ１の内部機構を説明する説明図である。ヘッド５は、インク滴を複数のノズル孔１２０（後述する図４参照）から吐出して印刷を行うインクジェットヘッド１５を少なくとも一つ有し、ガイドレール７に沿って主走査方向（図中Ｙ方向）に移動される。ヘッド５に対向する位置に、被印刷媒体９が被印刷物載置台１７上に載置され、制御部２９によって被印刷媒体９の送り出しや、インクジェットヘッド１５からのインクの吐出等は制御される。メンテナンスステーション２１は、被印刷媒体９への印刷が行われる領域外に設けられることが望ましい。
【００２８】
なお制御部２９はＣＰＵ、ＲＡＭおよびＲＯＭなどから構成され、各種制御を実行する。ＣＰＵはいわゆる中央演算処理装置であり、各種プログラムが実行されて様々な機能を実現する。ＲＡＭはＣＰＵの作業領域、記憶領域として使用され、ＲＯＭはＣＰＵで実行されるオペレーティングシステムやプログラムを記憶する。
【００２９】
本実施形態に係るインクジェットプリンタ１は、公知のインクジェットプリンタと同一又は同様の特徴を有してよい。例えばインクジェットプリンタ１は、上記において説明をした構成以外に、公知のインクジェットプリンタと同一又は同様の様々な構成を更に備えてもよい。
【００３０】
具体的には、インクジェットプリンタ１は、インク供給部（図時省略）、インク供給路（図示省略）、主走査駆動部（図示省略）、ピエゾ駆動部（図示省略）を備えてよい。ヘッド５は、印刷対象である被印刷媒体（メディア）９に対してインクを吐出する部分であり、印刷すべき画像に応じて設定される位置へインクを吐出することにより、被印刷媒体９上に画像を描画する。また、本実施形態において、ヘッド５は、キャリッジ及び複数のインクジェットヘッド１５を有する。キャリッジ（図示省略）は、複数のインクジェットヘッド１５を保持する保持部材である。本例において、キャリッジは、複数のインクジェットヘッド１５を、副走査方向における位置を揃えて、図中にＹ軸方向と示す主走査方向へ並べて保持する。この場合、副走査方向とは、例えば、主走査方向（Ｙ軸方向）と直交する方向（Ｘ軸方向）である。また、主走査方向とは、所定の方向へ移動しつつインク（インク滴）を吐出する主走査動作におけるインクジェットヘッド１５の移動方向のことである。
【００３１】
複数のインクジェットヘッド１５は、インクジェット方式でインクを吐出する印刷ヘッドである。この場合、インクとは、インクジェットヘッド方式で吐出する液体のことである。また、インクについては、例えば、液体吐出装置で吐出する機能性の液体等と考えることもできる。また、本実施形態においては、複数のインクジェットヘッド１５のそれぞれは、互いに異なる色のインクを吐出してよい。より具体的に、複数のインクジェットヘッド１５のそれぞれとしては、例えば、イエロー（Ｙ）色、マゼンタ（Ｍ）色、シアン（Ｃ）色、及びブラック（Ｋ）色の各色用のインクジェットヘッドを用いることが考えられる。このように構成すれば、カラー印刷（例えば、フルカラーの印刷）を適切に行うことができる。
【００３２】
また、より具体的に、本実施形態に係るインクジェットプリンタ１において、それぞれのインクジェットヘッド１５は、印刷時に被印刷媒体９と対向する面であるノズル面２７（後述する図２（Ｂ）参照）に、複数のノズルを有する。この場合、ノズル面２７については、例えば、インクジェットヘッド１５においてノズルが形成されている面等と考えることもできる。また、本実施形態において、ノズル面２７は、略平面である。この場合、略平面とは、例えば、必ずしも完全に平坦な平面である場合に限らず、求められる精度において平面と見なせる面のことである。また、ノズル面２７において、複数のノズルは、所定のノズル列方向（ノズル配列方向）へ一定の間隔で並ぶことで、ノズル列を構成する。また、本実施形態において、ノズル列方向は、副走査方向（図１（Ｂ）中Ｘ方向）と平行な方向である。また、ノズル列におけるノズルの密度については、例えば、１５０ｄｐｉに対応する密度以上（例えば、１５０ｄｐｉ〜１２００ｄｐｉに対応する密度）にすることが好ましい。このように構成すれば、高精細な印刷を適切に行うことができる。また、本例において、それぞれのインクジェットヘッド１５としては、ピエゾ方式でインクを吐出するインクジェットヘッドを用いる。この場合、それぞれのインクジェットヘッド１５は、複数のノズルに対応する複数のピエゾ素子を更に有する。
【００３３】
また、本実施形態において、複数のインクジェットヘッド１５から吐出するインクとしては、公知の様々なインクを用いることができる。この場合、必要に応じて、インクを被印刷媒体９に定着させる定着手段として、使用するインクに合わせた構成を更に用いることが好ましい。より具体的に、例えば、紫外線の照射により硬化するインクである紫外線硬化型インク（ＵＶインク）やソルベントＵＶインク等を用いる場合、紫外線光源を更に有するヘッド５を用いること等が考えられる。また、溶媒の蒸発により被印刷媒体９に定着する蒸発乾燥型のインクを用いる場合、インク又は被印刷媒体９を加熱する加熱手段を定着手段として用いることが考えられる。また、この場合、例えば、被印刷物載置台１７内に公知のヒータ等を設置すること等が考えられる。
【００３４】
図２（Ａ）は、ヘッド５に内蔵されるインクジェットヘッド１５と、インクジェットヘッド１５を支持するヘッド支持部３の斜視図である。インクジェットヘッド１５は、被印刷媒体９と対向する側にあって、複数のノズル孔１２０（後述する図４参照）が形成されるノズル面２７（後述する図２（Ｂ）参照）と、インクジェットヘッド１５を支持するヘッド支持部３とを備える。
【００３５】
ヘッド支持部３は、ノズル面２７を被印刷媒体９（図１（Ｂ）参照）に対向するように露出させる開口部が形成される対向部１０（後述する図２（Ｂ）参照）を有する。
【００３６】
図２（Ｂ）は、インクジェットヘッド１５と、インクジェットヘッド１５を支持するヘッド支持部３を、インクジェットヘッド１５と対向する被印刷媒体９（図１（Ｂ）参照）方向から仰ぎ見た場合を示す説明図である。図中に示すように、ノズル面２７と対向部１０は略同一平面上に配設される。具体的には、ノズル面２７及び対向部１０は、略同一平面である対向面２３を形成する。
【００３７】
図２（Ｃ）は、インクジェットヘッド１５とヘッド支持部３をＹ方向から見た断面図である。インクジェットヘッド１５とヘッド支持部３を係合する係合部２５が、ノズル面２７と対向部１０が構成する対向面２３から見て、Ｚ方向正の向きに凹部として形成される。
【００３８】
図３（Ａ）は、ノズル面２７を払拭するワイパー１３と、ワイパー１３を移動させるワイパー機構５０の説明図である。具体的には、ワイパー１３は、ノズル面２７と接触する舌片状の形状でありゴム等の柔軟な材料で形成されるワイパーブレード部３０を有する。ワイパー１３はワイパー駆動部５５により、図中Ｘ方向（副走査方向）に移動される。具体的には、同種類のインクを吐出するノズル孔１２０（後述する図４参照）が並ぶ方向（図４中Ｘ方向）に、ワイパーブレード部３０をノズル面２７に当接させた状態で移動させることで、ワイパーブレード部３０がノズル面２７等を払拭する。
【００３９】
このときノズル面２７と対向部１０とは略同一平面にあって、ワイパー１３は、対向面２３に沿って平行移動させることによりノズル面２７を払拭させる
【００４０】
図３（Ｂ）は、ワイパー機構５０と、インクジェットヘッド１５及びヘッド支持部３の配置関係を説明する説明図である。ワイパー機構５０の有するワイパー１３は、制御部２９（図１（Ｂ）参照）により対向面２３（図２（Ｂ）参照）に対して当接された状態で相対的に移動されることで、ワイパーが有するワイパーブレード部３０の先端側が対向面に摺動されて払拭する。具体的には制御部２９（図１（Ｂ）参照）が対向面２３とワイパー１３の相対的な位置関係の変更を制御する。
【００４１】
図４は、対向部１１０とノズル面１２７によって形成される対向面１２３上において、複数のノズル孔１２０が形成されるノズル領域１５０と、ワイパーブレード部１３０が待機するワイパー待機領域１６０と、ヘッド支持部１０３とインクジェットヘッド１１５との間に形成される係合部１２５の位置関係を示す説明図である。ワイパー待機領域１６０は、ノズル領域１５０と係合部１２５の間の領域である。
【００４２】
具体的にはヘッド支持部１０３には開口部が設けられ、インクジェットヘッド１１５はノズル孔１２０が被印刷媒体９に対向するようにヘッド支持部１０３によって鉛直方向上向きに支持されることが望ましい。係合部１２５は対向面１２３に対してＺ方向正の向きに凹みをもつ構造である。
【００４３】
図５（Ａ）〜図５（Ｄ）では、上記した本実施形態に係るインクジェットプリンタ１におけるワイパー１３が有するワイパーブレード部１３０の動作を説明する。
【００４４】
図５（Ａ）は、ノズル面１２７払拭前における、インクジェットヘッド１１５とヘッド支持部１０３、及び、ワイパーブレード部１３０のＢ−Ｂ線矢視断面図（図４参照）である。
【００４５】
ここでワイパーブレード部１３０の先端は、先端で払拭されるインク量を考慮して、ワイパー待機領域の範囲に入る厚みに形成されていることが好ましい。そのような態様にすることで、残余インクがノズル孔１２０に詰まることや、係合部２５に溜まることを防ぐことができるという効果を奏する。
【００４６】
図５（Ｂ）は、ノズル面１２７においてノズル孔１２０が形成されているノズル領域１５０払拭後、ワイパーブレード部１３０が待機時間中にワイパー待機領域１６０で待機している態様を示すＢ−Ｂ線矢視断面図（図４参照）である。
【００４７】
具体的には、制御部２９（図示省略）は、ワイパーブレード部１３０がノズル面１２７を払拭した後に、ヘッド支持部１０３とインクジェットヘッド１１５との間に形成される係合部１２５と、ノズル面１２７の中で複数のノズル孔１２０が形成されるノズル領域１５０との間の領域であるワイパー待機領域１６０で、ワイパー１３のワイパーブレード部１３０が所定の待機時間のあいだ待機するように制御を行う。
【００４８】
ここでワイパー１３は、対向面２３と平行移動された位置を維持した状態で、待機時間のあいだ待機される。
【００４９】
このような態様にすることで、ワイパー１３を対向面から退避させるために下げる仕組みが必要ではなくなり、装置のコストとしても安価になり、メンテナンスも容易になるという効果を奏する。
【００５０】
図５（Ｃ）は、待機時間中にワイパーブレード部１３０の先端から残余インク等の汚れがワイパーブレード部１３０に沿って移動していく様子を説明する説明図である。
【００５１】
具体的には、ワイパー１３の有するワイパーブレード部１３０の先端側は、対向面１２３（ノズル面１２７）に対して鉛直方向の下方から接触された状態で当接され、待機時間は、ワイパー１３の有するワイパーブレード部１３０の先端側に付着したインクが、鉛直方向の下方に移動するのを待つ時間である。制御部２９（図示省略）は、待機時間経過後にワイパー１３のワイパーブレード部１３０が係合部１２５を通過してヘッド支持部１０３の対向部１１０を払拭するようにワイパー１３と対向面１２３の相対的な位置関係の制御を行う。
【００５２】
ここで待機時間は、例えば１秒以上である。適切な待機時間は使用されるインクの粘性等によって異なってくるが、具体的にはインクがＵＶインクの場合には３秒以上が望ましい。
【００５３】
なお本明細書において待機とは、通常のクリーニングにおけるワイパーの払拭速度よりも低速度でワイパー１３を移動させる態様を含むこととする。
【００５４】
図５（Ｄ）は、ワイパーブレード部１３０が係合部１２５を越えて移動した場合にも、係合部に汚れが溜まらないことを説明する説明図である。ワイパーブレード部１３０の先端側には残余インクが存在しにくいので、係合部１２５には残余インク等の汚れが蓄積しにくい。ただし、ワイパーブレード部１３０が待機時間経過後にＺ方向負の向きに退避して、ノズル面１２７から離れる態様であって、ワイパーブレード部１３０が対向部１１０を払拭しなくてもよい。
【００５５】
本実施形態に係るインクジェットプリンタ１によれば、制御部２９がワイパー１３を所定の待機時間のあいだ、ノズル領域１５０と係合部１２５の間の領域であるワイパー待機領域１６０で待機する制御を行うので、待機時間のあいだに、ワイパー１３のワイパーブレード部１３０に溜まったインクが先端部から排除される。したがってワイパー１３に残余インクが溜まりにくいため、待機時間後にワイパー１３が対向部１１０側に移動しても、ワイパー１３から係合部１２５に残余インクが吸い込まれて溜まることが生じ難いという優れた効果を奏する。
【００５６】
本実施形態に係るインクジェットプリンタ１によれば、ワイパー１３のワイパーブレード部１３０が対向面１２３に対して鉛直方向の下方から接触された状態で当接され、待機時間は、ワイパー１３が有するワイパーブレード部１３０の先端側に付着したインクが、鉛直方向の下方に移動するのを待つ時間なので、ワイパー１３の先端に付着した残余インクが重力に従って流れ落ちて排除される。したがってワイパー１３が待機時間の後、係合部１２５を通過しても、ワイパー１３におけるワイパーブレード部１３０の先端部には残余インクが残り難いので、係合部１２５に残余インクが溜まりにくく、結果として、残余インクによる被印刷媒体９の汚染が生じ難くなるという優れた効果を奏する。
【００５７】
本実施形態に係るインクジェットプリンタ１によれば、ワイパー１３がワイパー待機領域１６０で待機する待機時間が１秒以上あるので、残余インクがワイパー１３の少なくとも先端部分からは重力によって流れ落ち易い。したがって、待機時間の後、ワイパー１３が係合部１２５を通過して対向部１１０へと移動する際に、残余インクが係合部１２５に溜まりにくく、結果として、残余インクによる被印刷媒体９の汚染が生じ難くなるという優れた効果を奏する。
【００５８】
本実施形態に係るインクジェットプリンタ１によれば、ワイパー１３がノズル面１２７と接触する舌片状のワイパーブレード部１３０を有するので、ノズル面１２７を適切に且つ確実に払拭でき、残余インクをノズル領域１５０から除去できる。したがって、ノズル領域１５０に残った残余インクにより形成されるインク滴が被印刷媒体９に滴下して汚染したり、ノズルの目詰まりを生じさせたりすることで、印刷品質を低下させるという事故が生じ難くなるという優れた効果を奏する。
【００５９】
本実施形態に係るインクジェットプリンタ１によれば、ワイパー１３をノズル面１２７に対して移動させるワイパー機構５０を有するので、ヘッド３を移動させる方向が一方向（主走査方向）だけで済み、ヘッド３の駆動機構が単純化できコストが抑えられ、メンテナンス性も向上するという優れた効果を奏する、またワイパー１３が払拭する方向が、同種類のインクを吐出するノズル孔１２０が並ぶ方向なので、払拭で思いがけず残余インクによる混色が生じる可能性も低下させることができるという優れた効果を奏する。
【００６０】
図６は、本発明の第二実施形態に係るインクジェットプリンタ印刷方法を説明するフローチャートである。
【００６１】
このインクジェットプリンタ印刷方法は、インク滴を複数のノズル孔から吐出して印刷を行うインクジェットヘッド１１５（図５（Ａ）参照）と、インクジェットヘッド１１５を支持するヘッド支持部１０３とを備え、ヘッド支持部１０３は、複数のノズル孔１２０が形成されるノズル面１２７を被印刷媒体９に対向するように露出させる開口部が形成される対向部１１０を有するインクジェットプリンタにおいて、インクジェットヘッド１１５において被印刷媒体９と対向する側にあるワイパー１３でノズル面１２７を払拭するノズル面払拭ステップと、ノズル面１２７の中で複数のノズル孔１２０が形成されるノズル領域１５０と、ヘッド支持部１０３とインクジェットヘッド１１５との間に形成される係合部１２５と、の間の領域であるワイパー待機領域１６０で、ワイパー１３が所定の待機時間のあいだ待機する待機ステップとを備える。
【００６２】
具体的には次の通りである。まずワイパーブレード部１３０をノズル面１２７に接触させる（ステップＳ１）。そしてワイパー１３のワイパーブレード部１３０が移動してノズル面１２７のノズル領域１５０を払拭する（ステップＳ２）。次にワイパー１３のワイパーブレード部１３０がワイパー待機領域１６０で所定時間のあいだ待機する（ステップＳ３）。そして、ワイパー１３が係合部１２５を通過してさらに移動する（ステップＳ４）。
【００６３】
本発明の第二実施形態に係るインクジェットプリンタ印刷方法によれば、ノズル面を払拭する払拭ステップの後、ワイパーを所定の待機時間のあいだ、ノズル領域と係合部の間の領域であるワイパー待機領域で待機させる待機ステップが存在するので、待機時間のあいだに、ワイパー上に溜まったインクが自然に流れて排除され易い。したがってワイパーに残余インクが溜まりにくいため、待機時間後にワイパーが対向部側に移動しても、ワイパーから係合部に残余インクが吸い込まれて溜まることが生じ難いという優れた効果を奏する。
【００６４】
尚、本発明のインクジェットプリンタ及びインクジェットプリンタ印刷方法は、上記した実施の形態に限定されるものではなく、本発明の要旨を逸脱しない範囲内において種々変更を加え得ることは勿論である。
【００６５】
例えば変形実施例として、ノズル面を払拭する方法として、メンテナンスステーションで、固定されたワイパーに対してヘッドが副走査方向に移動して、インクジェットヘッドにおけるノズル面の残余インクの払拭をおこなう態様も考えられる。
【００６６】
例えば他の変形実施例として、ワイパーはスポンジ様の材質で形成されて、残余インクを吸収して排除する態様であっても良く、また別の変形実施例としては多数の細い部材を束ねたブラシ状の態様であっても良い。
【００６７】
また別の変形実施例としては、インク滴を複数のノズル孔から吐出して印刷を行うインクジェットヘッドを備えるインクジェットプリンタであって、インクジェットヘッドにおいて被印刷媒体と対向する側にあって、複数のノズル孔が形成されるノズル面と、インクジェットヘッドを支持するヘッド支持部とを備え、ヘッド支持部は、ノズル面を被印刷媒体に対向するように露出させる開口部が形成される対向部を有し、ノズル面及び対向部からなる対向面に対して当接された状態で相対的に移動されることで、先端側が該対向面に摺動して払拭するワイパーと、対向面とワイパーの相対的な位置関係の変更を制御する制御部とを備え、制御部は、対向面のノズル面から対向部の方向にワイパーを払拭させるときに、ヘッド支持部とインクジェットヘッドとの間に形成される係合部の手前でワイパーの払拭速度を低下させてもよい。
【００６８】
もちろん制御部は、本発明の第一実施形態に記載するように、ワイパーを略待機させる程度の低速度まで払拭速度を低下させてもよい。すなわち本明細書において、払拭速度が低速度である状態にはワイパー移動が停止状態(待機)にされることも含める。
【００６９】
本変形実施例に係るインクジェットプリンタによれば、ワイパーの先端から払拭したインクが重力により流れ落ちやすいので、インクジェットヘッドとヘッド支持部を係合する係合部に残余インクが溜まり難いので、結果として被印刷媒体を残余インクで汚染し難いという優れた効果を奏する。
【符号の説明】
【００７０】
１        インクジェットプリンタ
３        ヘッド支持部
５        ヘッド
７        ガイドレール
９        被印刷媒体
１０      対向部
１３      ワイパー
１５      インクジェットヘッド
１７      被印刷物載置台
２０      ノズル孔
２１      メンテナンスステーション
２３      対向面
２５      係合部
２７      ノズル面
２９      制御部
３０      ワイパーブレード部
３５      移動後のワイパーブレード部
４０      残余インク
４５      被印刷媒体
５０      ワイパー機構
５５      ワイパー駆動部
１０３    ヘッド支持部
１０５    ヘッド
１１０    対向部
１１５    インクジェットヘッド
１２３    対向面
１２０    ノズル孔
１２５    係合部
１２７    ノズル面
１３０    ワイパーブレード部
１４０    残余インク
１５０    ノズル領域
１６０    ワイパー待機領域
【図１】
2020059253.tif 000003
【図２】
2020059253.tif 000004
【図３】
2020059253.tif 000005
【図４】
2020059253.tif 000006
【図５】
2020059253.tif 000007
【図６】
2020059253.tif 000008
【図７】
2020059253.tif 000009